(57)【要約】【課題】データ通信が終了すると、一定時間毎に回線の開放／再捕捉を自動的に繰返し、回線の状態に適合した回線速度でデータ通信を再開できる、使い勝手ならびに利便性に優れたＡＤＳＬモデムを提供する。【解決手段】回線インタフェース手段１０と、回線制御手段１１、タイマ手段１２、データバッファ手段１３、制御手段１４、捕捉スイッチ１６を有する回線開放／捕捉手段８と、記憶手段１５、端末インタフェース手段１７を備える。【選択図】　図２
2004080551.tif 000002
【特許請求の範囲】
【請求項１】
音声とデータを同時に伝送可能なＡＤＳＬ回線を介して交換局に収容されたＡＤＳＬ加入者端局装置との間で、データ通信を行う加入者宅のパーソナルコンピュータに接続し、前記パーソナルコンピュータからのデータをＡＤＳＬ信号に変調するとともに、前記ＡＤＳＬ回線からのＡＤＳＬ信号をデータに復調するＡＤＳＬモデムにおいて、
所定の条件に基づいて前記ＡＤＳＬ回線の開放および再捕捉を自動的に繰り返して実行する回線開放／捕捉手段を備えたことを特徴とするＡＤＳＬモデム。
【請求項２】
前記回線開放／捕捉手段は、前記パーソナルコンピュータからのデータおよび前記ＡＤＳＬ加入者端局装置からのデータを一時格納するデータバッファ手段と、前記データバッファ手段に格納されたデータが空になった時点から一定時間を計時するタイマ手段と、前記タイマ手段が一定時間を計時した時に開放／再捕捉制御をする回線制御手段と、全体の動作を制御する制御手段と、を備えたことを特徴とする請求項１記載のＡＤＳＬモデム。
【請求項３】
前記回線開放／捕捉手段は、前記パーソナルコンピュータからのデータおよび前記ＡＤＳＬ加入者端局装置からのデータを一時格納するデータバッファ手段と、前記ＡＤＳＬ加入者端局装置と前記ＡＤＳＬ回線を介して接続（捕捉）−通信−切断（開放）の手順を有するアプリケーション・プロトコルを記憶する記憶手段と、前記記憶手段に記憶されたアプリケーション・プロトコルを制御する制御手段と、を備えたことを特徴とする請求項１記載のＡＤＳＬモデム。
【請求項４】
前記回線開放／捕捉手段は、前記ＡＤＳＬ回線の開放／再捕捉を強制的に実行する捕捉スイッチを備えたことを特徴とする請求項２または請求項３記載のＡＤＳＬモデム。
【請求項５】
音声とデータを同時に伝送可能なＡＤＳＬ回線を介して交換局に収容されたＡＤＳＬ加入者端局装置との間で、データ通信を行う加入者宅のパーソナルコンピュータに接続し、前記パーソナルコンピュータからのデータをＡＤＳＬ信号に変調するとともに、前記ＡＤＳＬ回線からのＡＤＳＬ信号をデータに復調するＡＤＳＬモデムの回線再捕捉方法であって、
ＡＤＳＬ回線を捕捉するステップ（Ｓ１）と、
データ通信を行うステップ（Ｓ２）と、
一時蓄積されたデータがあるか否かを監視するステップ（Ｓ３）と、
計時を開始するステップ（Ｓ４）と、
データ通信が再開されたか否かを判定するステップ（Ｓ５）と、
設定時間に到達するステップ（Ｓ６）と、
ＡＤＳＬ回線を開放し、再捕捉するステップ（Ｓ７）と、
を備えたことを特徴とするＡＤＳＬモデムの回線再捕捉方法。
【請求項６】
音声とデータを同時に伝送可能なＡＤＳＬ回線を介して交換局に収容されたＡＤＳＬ加入者端局装置との間で、データ通信を行う加入者宅のパーソナルコンピュータに接続し、前記パーソナルコンピュータからのデータをＡＤＳＬ信号に変調するとともに、前記ＡＤＳＬ回線からのＡＤＳＬ信号をデータに復調するＡＤＳＬモデムの回線再捕捉方法であって、
ＴＣＰコネクション確立要求をするステップ（Ｐ１）と、
ＩＰパケットのＴＣＰポート番号を抽出するステップ（Ｐ２）と、
抽出したＴＣＰポート番号と記憶した「Ｗｅｌｌ−Ｋｎｏｗｎ」ポート番号を照合するステップ（Ｐ３）と、
ＴＣＰポート番号と「Ｗｅｌｌ−Ｋｎｏｗｎ」ポート番号が一致するか否かを判定するステップ（Ｐ４）と、
アプリケーション・プロトコルを特定するステップ（Ｐ５）と、
アプリケーション・プロトコルが再捕捉設定されているか否かを判定するステップ（Ｐ６）と、
ＡＤＳＬ回線Ｌを再捕捉するステップ（Ｐ７）と、
を備えたことを特徴とするＡＤＳＬモデムの回線再捕捉方法。
【発明の詳細な説明】
【０００１】
【発明の属する技術分野】
本発明は、加入者宅のパーソナルコンピュータとＡＤＳＬ（Ａｓｙｍｍｅｔｒｉｃ　Ｄｉｇｉｔａｌ　Ｓｕｂｓｃｒｉｂｅｒ　Ｌｉｎｅ）回線を介して交換局に収容されたＡＤＳＬ加入者端局装置との間でデータ通信をする際に、パーソナルコンピュータに接続してデータの変・復調を行うＡＤＳＬモデムに係り、特にＡＤＳＬ回線の開放／再捕捉を自動的に実行し、ＡＤＳＬ回線の状態に応じた最適の回線速度でデータ通信を実行するＡＤＳＬモデムに関する。
【０００２】
【従来の技術】
一般電話加入者宅に設置されたアナログ電話機および加入者が所有するパーソナルコンピュータを利用し、アナログ電話機のために敷設された１回線の加入者回線（加入者線）をＡＤＳＬ回線として使用し、アナログ電話機を用いた音声通話とパーソナルコンピュータを用いたデータ通信を同時に行うサービスが提供され、加入者の間に広く普及されている状況にある。
【０００３】
ＡＤＳＬ（Ａｓｙｍｍｅｔｒｉｃ　Ｄｉｇｉｔａｌ　Ｓｕｂｓｃｒｉｂｅｒ　Ｌｉｎｅ）回線のサービスは、加入者宅に、パーソナルコンピュータと接続してデータ通信のための変・復調を行うＡＤＳＬモデムと、ＡＤＳＬモデムおよびアナログ電話機に接続し、データおよび音声信号をＡＤＳＬ信号に多重化してＡＤＳＬ回線に送信するとともに、ＡＤＳＬ回線から受信したＡＤＳＬ信号をデータおよび音声信号に分離するスプリッタを設ける。
【０００４】
一方、交換局に、交換機、ＡＤＳＬ加入者端局装置およびスプリッタを設け、ＡＤＳＬ回線から受信したＡＤＳＬ信号を音声信号とデータにスプリッタで分離し、音声信号は交換機に供給され、データはＡＤＳＬ加入者端局装置に供給される。
【０００５】
このように、ＡＤＳＬ回線のサービスは、加入者宅に、ＡＤＳＬモデムおよびスプリッタを設けるだけで、データ通信用の回線を新たに敷設することなくデータ通信のサービスが受けられる。
【０００６】
また、ＡＤＳＬ回線のサービスにおけるデータ通信の料金は、利用時間やデータ量に拘わらず一定の定額制となっているため、利用者（加入者）は、データ通信のための回線を、データ通信時には接続（捕捉）し、データ通信が終了すると切断（開放）するという利用形態をとらず、常に回線を接続（捕捉）状態にしたまま利用する傾向にある。
【０００７】
【発明が解決しようとする課題】
ＡＤＳＬ回線のサービスにおいて、データ通信を行う際のＡＤＳＬ回線の回線速度は、利用者が最初に回線を接続すると、交換局のＡＤＳＬ加入者端局装置と加入者宅のＡＤＳＬモデムとの間でネゴシエーションがなされ、その時点のＡＤＳＬ回線の状態に従って、ある値に設定される。また、一度設定された回線速度は、ＡＤＳＬ回線への接続が継続される限り変更されることがない。
【０００８】
一般的に、ＡＤＳＬ回線の回線速度（データ伝送速度）は、交換局のＡＤＳＬ加入者端局装置と加入者宅のＡＤＳＬモデムとの間の距離（ＡＤＳＬ回線の長さ）によって変化し、ＡＤＳＬ回線が長くなるに伴って回線速度が低下する。
【０００９】
また、ＡＤＳＬ回線の回線速度（データ伝送速度）は、周囲からのノイズの影響を受けやすい性質があり、ノイズの種類（周波数成分）やレベルが時々刻々と変化するにつれて速くなったり、遅くなったりして様々に変化する。
【００１０】
従って、ＡＤＳＬ回線のノイズが少ない時に、回線に接続した場合には速い回線速度でデータ通信ができ、ＡＤＳＬ回線のノイズが多い時に、回線に接続した場合には遅い回線速度でデータ通信を利用せざるを得ないことになる。
【００１１】
従来のＡＤＳＬ回線のサービスの利用形態のように、最初にデータ通信を行う時に回線に接続し、回線を接続状態にすると、回線速度が速い状態に設定された場合には高速データ通信ができ、次にデータ通信を再開する際にも回線速度が速い状態で設定されるため、高速データ通信が可能となる。
【００１２】
一方、最初に回線に接続した時に、ＡＤＳＬ回線がノイズの影響を受けて回線速度が低速に設定された場合には、次にデータ通信を再開する際、ＡＤＳＬ回線のノイズが低下して高速の回線速度でデータ通信が可能にも拘わらず、最初に設定された低速の回線速度でデータ通信がなされてしまい、回線速度を有効に利用できない課題がある。
【００１３】
さらに、最初に回線速度が高速に設定された場合でも、次にデータ通信を再開する際に、ＡＤＳＬ回線がノイズの影響を受け、高速の回線速度でデータ通信ができないにも拘わらず、高速の回線速度でデータ通信を実行してしまうため、通信エラーを頻発してしまう課題がある。
【００１４】
ＡＤＳＬ回線の状態に即した回線速度でデータ通信を実行するためには、データ通信を再開する毎に、ＡＤＳＬ回線に接続するケーブルを一旦抜差ししたり、ＡＤＳＬモデム自身の電源をオフしたりすることで交換局のＡＤＳＬ加入者端局装置とのネゴシエーションをし直し、その時点のＡＤＳＬ回線の状態に適した回線速度にするとよいが、データ通信毎にケーブルの抜差し等をしなければならず、データ通信を頻繁に実行する場合には、煩雑となる課題がある。
【００１５】
この発明はこのような課題を解決するためになされたもので、その目的はデータ通信が終了すると、一定時間毎に回線の開放／再捕捉を自動的に繰り返し、回線の状態に適合した回線速度でデータ通信を再開できる、使い勝手ならびに利便性に優れたＡＤＳＬモデムを提供することにある。
【００１６】
【課題を解決するための手段】
前記課題を解決するためこの発明に係るＡＤＳＬモデムは、音声とデータを同時に伝送可能なＡＤＳＬ回線を介して交換局に収容されたＡＤＳＬ加入者端局装置との間で、データ通信を行う加入者宅のパーソナルコンピュータに接続し、パーソナルコンピュータからのデータをＡＤＳＬ信号に変調するとともに、ＡＤＳＬ回線からのＡＤＳＬ信号をデータに復調するＡＤＳＬモデムにおいて、所定の条件に基づいてＡＤＳＬ回線の開放および再捕捉を自動的に繰り返して実行する回線開放／捕捉手段を備えたことを特徴とする。
【００１７】
また、この発明に係る回線開放／捕捉手段は、パーソナルコンピュータからのデータおよびＡＤＳＬ加入者端局装置からのデータを一時格納するデータバッファ手段と、データバッファ手段に格納されたデータが空になった時点から一定時間を計時するタイマ手段と、タイマ手段が一定時間を計時した時に開放／再捕捉制御をする回線制御手段と、全体の動作を制御する制御手段とを備えたことを特徴とする。
【００１８】
さらに、この発明に係る回線開放／捕捉手段は、パーソナルコンピュータからのデータおよびＡＤＳＬ加入者端局装置からのデータを一時格納するデータバッファ手段と、ＡＤＳＬ加入者端局装置とＡＤＳＬ回線を介して接続（捕捉）−通信−切断（開放）の手順を有するアプリケーション・プロトコルを記憶する記憶手段と、記憶手段に記憶されたアプリケーション・プロトコルを制御する制御手段とを備えたことを特徴とする。
【００１９】
また、この発明に係る回線開放／捕捉手段は、ＡＤＳＬ回線の開放／再捕捉を強制的に実行する捕捉スイッチを備えたことを特徴とする。
【００２０】
さらに、この発明に係るＡＤＳＬモデムの回線再捕捉方法は、音声とデータを同時に伝送可能なＡＤＳＬ回線を介して交換局に収容されたＡＤＳＬ加入者端局装置との間で、データ通信を行う加入者宅のパーソナルコンピュータに接続し、パーソナルコンピュータからのデータをＡＤＳＬ信号に変調するとともに、ＡＤＳＬ回線からのＡＤＳＬ信号をデータに復調するＡＤＳＬモデムの回線再捕捉方法であって、ＡＤＳＬ回線を捕捉するステップ（Ｓ１）と、データ通信を行うステップ（Ｓ２）と、一時蓄積されたデータがあるか否かを監視するステップ（Ｓ３）と、計時を開始するステップ（Ｓ４）と、データ通信が再開されたか否かを判定するステップ（Ｓ５）と、設定時間に到達するステップ（Ｓ６）と、ＡＤＳＬ回線を開放し、再捕捉するステップ（Ｓ７）とを備えたことを特徴とする。
【００２１】
また、この発明に係るＡＤＳＬモデムの回線再捕捉方法は、音声とデータを同時に伝送可能なＡＤＳＬ回線を介して交換局に収容されたＡＤＳＬ加入者端局装置との間で、データ通信を行う加入者宅のパーソナルコンピュータに接続し、パーソナルコンピュータからのデータをＡＤＳＬ信号に変調するとともに、ＡＤＳＬ回線からのＡＤＳＬ信号をデータに復調するＡＤＳＬモデムの回線再捕捉方法であって、ＴＣＰコネクション確立要求をするステップ（Ｐ１）と、ＩＰパケットのＴＣＰポート番号を抽出するステップ（Ｐ２）と、抽出したＴＣＰポート番号と記憶した「Ｗｅｌｌ−Ｋｎｏｗｎ」ポート番号を照合するステップ（Ｐ３）と、ＴＣＰポート番号と「Ｗｅｌｌ−Ｋｎｏｗｎ」ポート番号が一致するか否かを判定するステップ（Ｐ４）と、アプリケーション・プロトコルを特定するステップ（Ｐ５）と、アプリケーション・プロトコルが再捕捉設定されているか否かを判定するステップ（Ｐ６）と、ＡＤＳＬ回線Ｌを再捕捉するステップ（Ｐ７）とを備えたことを特徴とする。
【００２２】
【発明の実施の形態】
以下、この発明の実施の形態を添付図面に基づいて説明する。図１はこの発明に係るＡＤＳＬモデムが適用されるＡＤＳＬ回線サービスの実施の形態基本システム構成図である。
【００２３】
図１において、ＡＤＳＬ回線サービス基本システム１は、バックボーンネットワークＮＢを収容するＡＤＳＬ加入者端局装置２、電話網ＮＴを収容する交換機３、ＡＤＳＬ加入者端局装置２および交換機３を収容する交換局内のスプリッタ４を備えた交換局と、アナログ電話機６、パーソナルコンピュータＰＣ、ＡＤＳＬモデム７、アナログ電話機６およびパーソナルコンピュータＰＣを接続したＡＤＳＬモデム７を収容する加入者宅内のスプリッタ５を備えた加入者宅と、交換局内のスプリッタ４と加入者宅内のスプリッタ５を接続するＡＤＳＬ回線Ｌとから構成する。
【００２４】
アナログ電話機６から出力された音声信号と、パーソナルコンピュータＰＣから出力され、ＡＤＳＬモデム７で変調を施されたデータは、加入者宅内のスプリッタ５内で多重化され、ＡＤＳＬ信号としてＡＤＳＬ回線Ｌを介して交換局内のスプリッタ４に伝送される。
【００２５】
ＡＤＳＬ回線ＬからのＡＤＳＬ信号は、交換局内のスプリッタ４内で音声信号とデータに分離される。音声信号は、交換機３を介して電話網ＮＴに送信され、データは、ＡＤＳＬ加入者端局装置２を介してバックボーンネットワークＮＢに送信される。
【００２６】
一方、ＡＤＳＬ加入者端局装置２からのデータおよび交換機３からの音声信号は、交換局内のスプリッタ４内で多重化され、ＡＤＳＬ信号としてＡＤＳＬ回線Ｌを介して加入者宅内のスプリッタ５に伝送される。
【００２７】
ＡＤＳＬ回線ＬからのＡＤＳＬ信号は、加入者宅内のスプリッタ５内で音声信号とデータに分離される。音声信号はアナログ電話機６に供給され、データは、ＡＤＳＬモデム７で復調を施され、復調されたデータは、パーソナルコンピュータＰＣに供給される。
【００２８】
このように、加入者宅に、スプリッタ５およびＡＤＳＬモデム７を設け、交換局にＡＤＳＬ加入者端局装置２およびスプリッタ４を設けてスプリッタ４，５間を１回線のＡＤＳＬ回線Ｌで接続することにより、アナログ電話機６と交換機３間の音声信号通信およびパーソナルコンピュータＰＣとＡＤＳＬ加入者端局装置２間のデータ通信を、あたかも音声回線とデータ回線を独立に設けたように構成することができる。
【００２９】
また、ＡＤＳＬ回線サービスの特徴は、データ通信の料金が回線接続時間およびデータ量に拘わらず一定の定額制を導入していることであり、パーソナルコンピュータＰＣを常にＡＤＳＬ回線Ｌに接続しておくことができ、データ通信開始時にＡＤＳＬ回線Ｌを捕捉（接続）し、データ通信終了時にＡＤＳＬ回線Ｌを開放（切断）しなくてもよいことになり、使い勝手（操作性）がよいことも普及を一段と後押しする一因になっている。
【００３０】
しかし、ＡＤＳＬ回線Ｌは、通常のアナログ電話回線を流用したものであり、加入者宅から交換局までの距離（ＡＤＳＬ回線Ｌの長さ）や周囲ノイズの影響を受け易いため、時々刻々とデータ伝送速度（回線速度）が変化する。
【００３１】
ＡＤＳＬモデム７がＡＤＳＬ回線Ｌを捕捉（接続）した時点で、ＡＤＳＬ加入者端局装置２との間でＡＤＳＬ回線Ｌの状態を監視して回線速度を設定する。また、ＡＤＳＬ回線Ｌの回線速度は、ＡＤＳＬモデム７がＡＤＳＬ回線Ｌを捕捉（接続）する毎に、その時点の回線状態に適した値に設定する。
【００３２】
従って、ＡＤＳＬ回線Ｌを常に捕捉（接続）状態にすることは、必ずしも得策とは言えず、むしろデータ通信をする時点でＡＤＳＬ回線Ｌを再捕捉することが、最適な回線速度でデータ通信を実行できることになる。
【００３３】
そこで、本発明は、ＡＤＳＬモデム７に、所定の条件に基づいてＡＤＳＬ回線Ｌの開放および再捕捉を自動的に繰り返して実行する回線開放／捕捉手段８を設ける。
【００３４】
所定の条件とは、データ通信が終了すると、一定時間を計時し、一定時間が経過するとＡＤＳＬ回線Ｌを自動的に開放し、再捕捉してデータ通信に備え、ＡＤＳＬ回線Ｌの開放および再捕捉を一定時間毎に繰り返すことで、常に回線の状態に適した回線速度でデータ通信を実行できるようにする。
【００３５】
また、所定の条件とは、ＴＣＰ（Ｔｒａｎｓｍｉｓｓｉｏｎ　Ｃｏｎｔｒｏｌ　Ｐｒｏｔｏｃｏｌ）コネクションに再捕捉設定されているアプリケーション・プロトコルを用い、データ通信のＴＣＰコネクション時に、ＡＤＳＬ回線Ｌを開放および再捕捉し、常に回線の状態に適した回線速度でデータ通信を実行できるようにする。
【００３６】
このように、この発明に係るＡＤＳＬモデム７は、所定の条件に基づいてＡＤＳＬ回線Ｌの開放および再捕捉を自動的に繰り返して実行する回線開放／捕捉手段を備えたので、データ通信を再開する時には、常に回線速度をＡＤＳＬ回線Ｌの状態に適合させて設定することができ、使い勝手が良く、利便性の向上を図ることができる。
【００３７】
図２はこの発明に係るＡＤＳＬモデムの一実施の形態要部ブロック構成図である。図２において、ＡＤＳＬモデム７は、回線インタフェース手段１０、回線制御手段１１、タイマ手段１２、データバッファ手段１３、制御手段１４、記憶手段１５、捕捉スイッチ１６、端末インタフェース手段１７を備える。
【００３８】
なお、回線制御手段１１、タイマ手段１２、データバッファ手段１３および制御手段１４は、データ通信が終了後、一定時間を計時し、一定時間経過後にＡＤＳＬ回線Ｌの開放／再捕捉を自動的に繰り返す回線開放／捕捉手段８を構成する。
【００３９】
また、データバッファ手段１３、制御手段１４および記憶手段１５は、ＴＣＰプロトコルである再捕捉設定されたアプリケーション・プロトコルを用いてＡＤＳＬ回線Ｌの開放／再捕捉を自動的に実行する回線開放／捕捉手段９を構成する。
【００４０】
回線インタフェース手段１０は、変・復調機能を備え、スプリッタ５から供給されるデータを復調してディジタル信号にするとともに、ディジタル信号を変調したデータをスプリッタ５に供給する。
【００４１】
また、回線インタフェース手段１０は、物理的なスイッチを備え、回線制御手段１１からの指令に基づいてＡＤＳＬ回線Ｌを捕捉（スイッチをオン）し、または開放（スイッチをオフ）する。
【００４２】
回線制御手段１１は、回線開放／捕捉制御機能を備え、制御手段１４からの制御により、回線インタフェース手段１０にスイッチをオン状態（回線捕捉）またはオフ状態（回線開放）にする指令を提供する。
【００４３】
また、回線制御手段１１は、データ送受信機能を備え、パーソナルコンピュータＰＣからのデータを回線インタフェース手段１０を介してＡＤＳＬ回線Ｌに送信し、ＡＤＳＬ回線Ｌからのデータを受信して端末インタフェース手段１７を介してパーソナルコンピュータＰＣに供給する。
【００４４】
さらに、回線制御手段１１は、回線状態監視機能を備え、ＡＤＳＬ回線Ｌを捕捉した場合、交換局のＡＤＳＬ加入者端局装置２との間で回線状態信号を遣り取りし、ネゴシエーションした後にＡＤＳＬ加入者端局装置２から通知される回線速度に設定する。
【００４５】
タイマ手段１２は、タイマで構成し、制御手段１４からの指令で計時を開始し、設定した一定時間が経過すると、タイマ信号を制御手段１４に供給する。
【００４６】
データバッファ手段１３は、レジスタ等の一時メモリで構成し、パーソナルコンピュータＰＣやＡＤＳＬ加入者端局装置２からのデータを一時格納した後、出力する。
【００４７】
制御手段１４は、ＡＤＳＬモデム７全体の動作を制御し、データバッファ手段１３に格納されるデータの有無を監視し、データがある場合にはデータ通信が継続中と判断して処理をする。
【００４８】
また、制御手段１４は、データバッファ手段１３に格納されるデータが空になった場合には、タイマ手段１２に計時を開始させ、一定時間が経過するとタイマ手段１２から供給されるタイマ信号に基づいて回線制御手段１１に回線の開放／再捕捉を指令する。
【００４９】
さらに、制御手段１４は、ＴＣＰ（Ｔｒａｎｓｍｉｓｓｉｏｎ　Ｃｏｎｔｒｏｌ　Ｐｒｏｔｏｃｏｌ）コネクション確立要求時に、データバッファ手段１３に一時記憶されるパーソナルコンピュータＰＣからのＩＰパケットからＴＣＰポート番号を抽出し、抽出したＴＣＰポート番号と記憶手段１５に記憶されているアプリケーション・プロトコルのポート番号である『Ｗｅｌｌ−Ｋｎｏｗｎ　Ｐｏｒｔ　Ｎｕｍｂｅｒ』とを照合し、指定されたアプリケーション・プロトコルを特定する。
【００５０】
また、制御手段１４は、特定されたアプリケーション・プロトコルがＦＴＰ等の再捕捉設定されたＴＣＰプロトコルである場合には、回線制御手段１１を介してＡＤＳＬ回線Ｌを一旦開放し、再捕捉させる制御を実行する。
【００５１】
さらに、制御手段１４は、捕捉スイッチ１６からのキー情報により、回線制御手段１１を介して強制的にＡＤＳＬ回線Ｌを開放し、再捕捉させる制御を実行する。
【００５２】
記憶手段１５は、ＥＥＰＲＯＭ等の固定メモリやＲＡＭ等の書換え可能なメモリで構成し、ＡＤＳＬ回線Ｌの再捕捉に必要な各種設定条件、ユーザが利用する各種アプリケーション・プロトコル（ポート番号『Ｗｅｌｌ−Ｋｎｏｗｎ　Ｐｏｒｔ　Ｎｕｍｂｅｒ』も含む）を記憶し、制御手段１４の指令により、各種データを出力する。
【００５３】
捕捉スイッチ１６は、既存の押し釦スイッチ等で構成し、緊急にデータ通信を再開したい場合や突発的なノイズの影響などで回線速度が低速に設定された場合に、操作してキー情報を制御手段１４に供給することにより、強制的にＡＤＳＬ回線Ｌを再補足する。
【００５４】
端末インタフェース手段１７は、ＲＳ２３２Ｃ等のインタフェースを備え、ＲＳ２３２Ｃ等のケーブルでパーソナルコンピュータＰＣ間を接続し、データの送受信を行う。
【００５５】
次に、ＡＤＳＬモデム７の動作について説明する。まず、データ通信が終了後、一定時間経過後にＡＤＳＬ回線Ｌの開放／再捕捉を自動的に繰り返す動作について説明する。ＡＤＳＬモデム７が起動されると、交換局内のＡＤＳＬ加入者端局装置２との間で、ＡＤＳＬ回線Ｌの捕捉を確立する。この時に確立するＡＤＳＬ回線Ｌの回線速度は、ＡＤＳＬ加入者端局装置２からＡＤＳＬモデム７までのＡＤＳＬ回線Ｌの長さ、影響を受けるノイズの種類やレベルなどにより、捕捉が確立した時点の回線状態に適した値に決定される。
【００５６】
回線捕捉の確立に用いられる信号は、交換局内のスプリッタ４と加入者宅内のスプリッタ５で、それぞれ音声信号と分離され、ＡＤＳＬ加入者端局装置２とＡＤＳＬモデム７の回線制御手段１１との間で送受信される。
【００５７】
回線が捕捉された後、利用者（加入者）がデータ通信を開始するが、通信するデータは、送受信データが共にデータバッファ手段１３に一時格納されてから出力される。データバッファ手段１３に格納されたデータは、制御手段１４が監視する。
【００５８】
利用者（加入者）がデータ通信を終了し、データバッファ手段１３に格納されたデータが空になると、制御手段１４はデータ通信が終了したと判断し、タイマ手段１２を起動制御し、データ通信終了時からの経過時間を計時させる。利用者（加入者）は、データ通信が終了してからＡＤＳＬモデム７が自動的にＡＤＳＬ回線Ｌを再補足するまでの一定時間を任意に設定することができ、タイマ手段１２が一定時間を計時した時点で出力するタイマ信号で、制御手段１４が回線制御手段１１に指令を出してＡＤＳＬ回線Ｌを開放した後、再捕捉させる。
【００５９】
一方、データ通信を終了後、タイマ手段１２が一定時間を計時する前に利用者（加入者）がデータ通信を再開すると、ＡＤＳＬ回線Ｌの再捕捉が行われず、回線速度は、データ通信が終了する以前と同じ回線速度となる。
【００６０】
ＡＤＳＬ回線Ｌの再捕捉が実行されると、再捕捉された時点の回線状態に適した回線速度が設定される。利用者（加入者）は、設定する回線再捕捉時間（一定時間）が短いほど、データ通信再開時の回線状態により適した回線速度でデータ通信を行うことができるが、あまり頻繁に回線の再捕捉が実行されると、データ通信終了後、すぐに通信をしたい場合には、回線の再捕捉を実行中であり、再捕捉が完了するまで通信ができないケースが起こりやすくなるため、回線再捕捉時間（一定時間）は考慮して設定する。
【００６１】
このように、この発明に係る回線開放／捕捉手段８は、パーソナルコンピュータＰＣからのデータおよびＡＤＳＬ加入者端局装置２からのデータを一時格納するデータバッファ手段１３と、データバッファ手段１３に格納されたデータが空になった時点から一定時間を計時するタイマ手段１２と、タイマ手段１２が一定時間を計時した時に開放／再捕捉制御をする回線制御手段１１と、全体の動作を制御する制御手段１４とを備えたので、データ通信が終了すると一定時間毎にＡＤＳＬ回線Ｌの開放および再捕捉を自動的に繰り返し、データ通信を再開する時には、常に回線速度をＡＤＳＬ回線Ｌの状態に適合させて設定することができ、使い勝手が良く、利便性の向上を図ることができる。
【００６２】
続いて、ＴＣＰプロトコルである再捕捉設定されたアプリケーション・プロトコルを用いてＡＤＳＬ回線Ｌの開放／再捕捉を自動的に実行する動作について説明する。ＴＣＰ（Ｔｒａｎｓｍｉｓｓｉｏｎ　Ｃｏｎｔｒｏｌ　Ｐｒｏｔｏｃｏｌ）においては、データ通信の前にコネクションを確立する必要がある。この場合、クライアントがサーバに対し、宛先のポート番号によって要求するアプリケーション・プロトコルを指定し、コネクションが確立する。コネクション確立時のポート番号からデータ通信に使用されるアプリケーション・プロトコルを判別する。
【００６３】
図３にＩＰパケットの一構成図を示す。図３において、ＩＰパケットのヘッダには、ＩＰヘッダとＴＣＰ／ＵＤＰヘッダを設ける。ＩＰヘッダには、送信元ＩＰアドレス、宛先ＩＰアドレスが搭載され、ＴＣＰ／ＵＤＰヘッダでは、標準的なアプリケーション・プロトコルについては、ポート番号が事前に割り当てられており、この割り当て済みのポート番号を『Ｗｅｌｌ−Ｋｎｏｗｎ　Ｐｏｒｔ　Ｎｕｍｂｅｒ』と称する。
【００６４】
図４にアプリケーション・プロトコルとＷｅｌｌ−Ｋｎｏｗｎポート番号の関係図を示す。図４において、ＴＣＰプロトコルであるアプリケーション・プロトコル名（例えば、ＦＴＰ）、『Ｗｅｌｌ−Ｋｎｏｗｎ　Ｐｏｒｔ　Ｎｕｍｂｅｒ』（例えば、２０，２１）および回線再捕捉の設定有無（例えば、○：設定有り）の一覧を表わす。なお、ＴＣＰプロトコルとは、接続（捕捉）→通信→切断（開放）の手順を備える。
【００６５】
ＡＤＳＬモデム７が起動されると、交換局内のＡＤＳＬ加入者端局装置２との間で、ＡＤＳＬ回線Ｌの捕捉を確立する。この時に確立するＡＤＳＬ回線Ｌの回線速度は、ＡＤＳＬ加入者端局装置２からＡＤＳＬモデム７までのＡＤＳＬ回線Ｌの長さ、影響を受けるノイズの種類やレベルなどにより、捕捉が確立した時点の回線状態に適した値に決定される。
【００６６】
回線捕捉の確立に用いられる信号は、交換局内のスプリッタ４と加入者宅内のスプリッタ５で、それぞれ音声信号と分離され、ＡＤＳＬ加入者端局装置２とＡＤＳＬモデム７の回線制御手段１１との間で送受信される。
【００６７】
回線が捕捉された後、利用者（加入者）がデータ通信を開始するが、通信するデータは、送受信データが共にデータバッファ手段１３に一時格納されてから出力される。データバッファ手段１３に格納されたデータは、制御手段１４が監視する。
【００６８】
ＡＤＳＬ回線Ｌの捕捉確立後、利用者（加入者）がデータ通信を行うためには、ＴＣＰコネクションを確立する必要があり、ＴＣＰのコネクション確立要求を発生する。ＡＤＳＬモデム７は、データバッファ手段１３に送受信データを一時格納し、制御手段１４は、データバッファ手段１３の送受信データを監視しているので、コネクション確立要求の発生を確認することができ、ＩＰパケットのＴＣＰポート番号を抽出する。
【００６９】
続いて、制御手段１４は、抽出したＴＣＰポート番号と記憶手段１５に記憶された『Ｗｅｌｌ−Ｋｎｏｗｎ　Ｐｏｒｔ　Ｎｕｍｂｅｒ』を照合し、指定されたアプリケーション・プロトコルを特定する。
【００７０】
特定されたアプリケーション・プロトコルがＦＴＰ等の再捕捉設定されているものであり、他に確立済みのＴＣＰコネクションがなければ、制御手段１４は、回線制御手段１１に指令してＡＤＳＬ回線Ｌの開放／再捕捉を実行する。
【００７１】
また、特定されたアプリケーション・プロトコルがＦＴＰ等の再捕捉設定されているものであり、他に確立済みのＴＣＰコネクションがあっても、そのＴＣＰコネクションのアプリケーション・プロトコルがＦＴＰ等の再捕捉設定されているものでなければ、制御手段１４は、回線制御手段１１に指令してＡＤＳＬ回線Ｌの開放／再捕捉を実行する。
【００７２】
ＡＤＳＬ回線Ｌの再捕捉後には、ＴＣＰコネクションが確立されてデータ通信が実行される。なお、ＡＤＳＬ回線Ｌの再捕捉を行うアプリケーション・プロトコルは、利用者（加入者）の用途に合わせて設定することができ、記憶手段１５に記憶される。
【００７３】
一方、特定されたアプリケーション・プロトコルがＦＴＰ等の再捕捉設定されているものであるが、他に確立済みのＴＣＰコネクションが存在し、そのコネクションのアプリケーション・プロトコルが再捕捉設定されているものであり、データ通信が継続して実行されている可能性が高い場合には、ＡＤＳＬ回線Ｌの開放／再捕捉を行わず、そのままの回線速度でデータ通信が実行される。
【００７４】
なお、ＡＤＳＬ回線Ｌの再捕捉の条件を図３に示すＩＰパケットのＴＣＰ／ＵＤＰヘッダに搭載されている送信元ポート番号、宛先ポート番号を抽出することで行ったが、ＩＰヘッダに搭載されている送信元ＩＰアドレス、宛先ＩＰアドレスを抽出することで行ってもよい。この場合には、利用者（加入者）がＡＤＳＬ回線Ｌの再捕捉の条件を設定し、記憶手段１５に記憶させる。
【００７５】
このように、この発明に係るこの発明に係る回線開放／捕捉手段９は、パーソナルコンピュータＰＣからのデータおよびＡＤＳＬ加入者端局装置２からのデータを一時格納するデータバッファ手段１３と、ＡＤＳＬ加入者端局装置２とＡＤＳＬ回線Ｌを介して接続（捕捉）−通信−切断（開放）の手順を有するアプリケーション・プロトコルを記憶する記憶手段１５と、記憶手段１５に記憶されたアプリケーション・プロトコルを制御する制御手段１４とを備えたので、データ通信が終了すると、アプリケーション・プロトコルの接続（捕捉）−通信−切断（開放）の手順を利用してＡＤＳＬ回線Ｌの開放と再捕捉を自動的に実行し、データ通信を再開する時には、常に回線速度をＡＤＳＬ回線の状態に適合させて設定することができ、使い勝手が良く、利便性の向上を図ることができる。
【００７６】
また、ＡＤＳＬモデム７は、ＡＤＳＬ回線Ｌの開放／再捕捉を強制的に実行する捕捉スイッチ１６を設けることで、利用者（加入者）が手動で捕捉スイッチ１６を操作してＡＤＳＬ回線Ｌの開放／再捕捉を実行することができる。捕捉スイッチ１６の操作により、利用者（加入者）は、回線ケーブルの抜差し等をすることなく、いつでもＡＤＳＬ回線Ｌの再捕捉をすることができる。
【００７７】
このように、この発明に係る回線開放／捕捉手段８，９は、ＡＤＳＬ回線Ｌの開放／再捕捉を強制的に実行する捕捉スイッチ１６を備えたので、緊急にデータ通信を再開したい場合や突発的なノイズの影響で回線速度が低速に設定された場合に、強制的にＡＤＳＬ回線Ｌを再補足し、回線速度を回線状態に適合させることができ、使い勝手の向上を実現することができる。
【００７８】
次に、ＡＤＳＬモデムの回線再捕捉方法について説明する。図５はこの発明に係るＡＤＳＬモデムの回線再捕捉方法の一実施の形態要部動作フロー図である。なお、動作フローは、図１、図２を参照して説明する。
【００７９】
ステップＳ１では、初めに、ＡＤＳＬ回線を捕捉する。なお、ステップＳ１の動作は、ＡＤＳＬ加入者端局装置２およびＡＤＳＬモデム７が実行する。
【００８０】
ステップＳ２では、データ通信を行う。なお、ステップＳ２は、ＡＤＳＬ加入者端局装置２、ＡＤＳＬ回線Ｌ、ＡＤＳＬモデム７およびパーソナルコンピュータＰＣが実行する。
【００８１】
ステップＳ３では、一時蓄積されたデータがあるか否か監視し、データがある場合にはステップＳ２に移行してデータ通信を継続する。一方、データが空の場合にはステップＳ４に移行する。なお、ステップＳ３の動作は、データバッファ手段１３および制御手段１４が実行する。
【００８２】
ステップＳ４では、データが空（データ通信が終了）の状態からの計時を開始する。なお、ステップＳ４の動作は、タイマ手段１２が実行する。
【００８３】
ステップＳ５では、データ通信が再開されたか否かを判定し、計時中にデータ通信が再開された場合にはステップＳ２に移行してデータ通信を継続する。一方、データ通信が再開されない場合にはステップＳ６に移行する。なお、ステップＳ５の動作は、タイマ手段１２、データバッファ手段１３および制御手段１４が実行する。
【００８４】
ステップＳ６では、計時時間が設定（一定）時間に到達する。なお、ステップＳ６の動作は、タイマ手段１２および制御手段１４が実行する。
【００８５】
ステップＳ７では、ＡＤＳＬ回線を開放し、再捕捉する。なお、ステップＳ７の動作は、回線インタフェース手段１０、回線制御手段１１および制御手段１４が実行する。
【００８６】
このように、この発明に係るＡＤＳＬモデムの回線再捕捉方法は、ＡＤＳＬ回線を捕捉するステップＳ１と、データ通信を行うステップＳ２と、一時蓄積されたデータがあるか否かを監視するステップＳ３と、計時を開始するステップＳ４と、データ通信が再開されたか否かを判定するステップＳ５と、設定時間に到達するステップＳ６と、ＡＤＳＬ回線を開放し、再捕捉するステップＳ７とを備えたので、データ通信が終了すると一定時間毎にＡＤＳＬ回線の開放および再捕捉を自動的に繰り返し、データ通信を再開する時には、常に回線速度をＡＤＳＬ回線の状態に適合させて設定することができ、最適な回線速度でデータ通信を行うことができる。
【００８７】
図６はこの発明に係るＡＤＳＬモデムの回線再捕捉方法の別実施の形態要部動作フロー図である。なお、動作フローは、図２、図３、図４を参照して説明する。
【００８８】
ステップＰ１では、ＴＣＰコネクション確立要求をする。なお、ステップＰ１の動作は、パーソナルコンピュータＰＣが実行する。
【００８９】
ステップＰ２では、ＩＰパケットのＴＣＰポート番号を抽出する。なお、ステップＰ２の動作は、制御手段１４が実行する。
【００９０】
ステップＰ３では、抽出したＴＣＰポート番号と記憶した「Ｗｅｌｌ−Ｋｎｏｗｎ」ポート番号を照合する。なお、ステップＰ３の動作は、制御手段１４および記憶手段１５が実行する。
【００９１】
ステップＰ４では、ＴＣＰポート番号と「Ｗｅｌｌ−Ｋｎｏｗｎ」ポート番号が一致するか否かを判定し、ポート番号が一致しない場合には処理を終了する。一方、ポート番号が一致する場合にはステップＰ５に移行する。なお、ステップＰ４の動作は、制御手段１４および記憶手段１５が実行する。
【００９２】
ステップＰ５では、アプリケーション・プロトコルを特定する。なお、ステップＰ５の動作は、制御手段１４および記憶手段１５が実行する。
【００９３】
ステップＰ６では、アプリケーション・プロトコルが再捕捉設定されているか否かを判定し、再捕捉設定されていない場合には処理を終了する。一方、再捕捉設定されている場合にはステップＰ７に移行する。なお、ステップＰ６の動作は、制御手段１４および記憶手段１５が実行する。
【００９４】
ステップＰ７では、ＡＤＳＬ回線を再捕捉する。なお、ステップＰ７の動作は、回線インタフェース手段１０、回線制御手段１１および制御手段１４が実行する。
【００９５】
このように、この発明に係るＡＤＳＬモデムの回線再捕捉方法は、ＴＣＰコネクション確立要求をするステップＰ１と、ＩＰパケットのＴＣＰポート番号を抽出するステップＰ２と、抽出したＴＣＰポート番号と記憶した「Ｗｅｌｌ−Ｋｎｏｗｎ」ポート番号を照合するステップＰ３と、ＴＣＰポート番号と「Ｗｅｌｌ−Ｋｎｏｗｎ」ポート番号が一致するか否かを判定するステップＰ４と、アプリケーション・プロトコルを特定するステップＰ５と、アプリケーション・プロトコルが再捕捉設定されているか否かを判定するステップＰ６と、ＡＤＳＬ回線Ｌを再捕捉するステップＰ７とを備えたので、データ通信を再開する際のＴＣＰコネクション確立要求がある時には、常に回線を再捕捉して回線速度をＡＤＳＬ回線の状態に適合させて設定することができ、最適な回線速度でデータ通信を行うことができる。
【００９６】
【発明の効果】
以上説明したように、この発明に係るＡＤＳＬモデムは、所定の条件に基づいてＡＤＳＬ回線の開放および再捕捉を自動的に繰り返して実行する回線開放／捕捉手段を備えたので、データ通信を再開する時には、常に回線速度をＡＤＳＬ回線の状態に適合させて設定することができ、使い勝手が良く、利便性の向上を図ることができる。
【００９７】
また、この発明に係る回線開放／捕捉手段は、パーソナルコンピュータからのデータおよびＡＤＳＬ加入者端局装置からのデータを一時格納するデータバッファ手段と、データバッファ手段に格納されたデータが空になった時点から一定時間を計時するタイマ手段と、タイマ手段が一定時間を計時した時に開放／再捕捉制御をする回線制御手段と、全体の動作を制御する制御手段とを備えたので、データ通信が終了すると一定時間毎にＡＤＳＬ回線の開放および再捕捉を自動的に繰り返し、データ通信を再開する時には、常に回線速度をＡＤＳＬ回線の状態に適合させて設定することができ、使い勝手が良く、利便性の向上を図ることができる。
【００９８】
さらに、この発明に係る回線開放／捕捉手段は、パーソナルコンピュータからのデータおよびＡＤＳＬ加入者端局装置からのデータを一時格納するデータバッファ手段と、ＡＤＳＬ加入者端局装置とＡＤＳＬ回線を介して接続（捕捉）−通信−切断（開放）の手順を有するアプリケーション・プロトコルを記憶する記憶手段と、記憶手段に記憶されたアプリケーション・プロトコルを制御する制御手段とを備えたので、データ通信が終了すると、アプリケーション・プロトコルの接続（捕捉）−通信−切断（開放）の手順を利用してＡＤＳＬ回線の開放と再捕捉を自動的に実行し、データ通信を再開する時には、常に回線速度をＡＤＳＬ回線の状態に適合させて設定することができ、使い勝手が良く、利便性の向上を図ることができる。
【００９９】
また、この発明に係る回線開放／捕捉手段は、ＡＤＳＬ回線の開放／再捕捉を強制的に実行する捕捉スイッチを備えたので、緊急にデータ通信を再開したい場合や突発的なノイズの影響で回線速度が低速に設定された場合に、強制的にＡＤＳＬ回線を再補足し、回線速度を回線状態に適合させることができ、使い勝手の向上を実現することができる。
【０１００】
さらに、この発明に係るＡＤＳＬモデムの回線再捕捉方法は、音声とデータを同時に伝送可能なＡＤＳＬ回線を介して交換局に収容されたＡＤＳＬ加入者端局装置との間で、データ通信を行う加入者宅のパーソナルコンピュータに接続し、パーソナルコンピュータからのデータをＡＤＳＬ信号に変調するとともに、ＡＤＳＬ回線からのＡＤＳＬ信号をデータに復調するＡＤＳＬモデムの回線再捕捉方法であって、ＡＤＳＬ回線を捕捉するステップ（Ｓ１）と、データ通信を行うステップ（Ｓ２）と、一時蓄積されたデータがあるか否かを監視するステップ（Ｓ３）と、計時を開始するステップ（Ｓ４）と、データ通信が再開されたか否かを判定するステップ（Ｓ５）と、設定時間に到達するステップ（Ｓ６）と、ＡＤＳＬ回線を開放し、再捕捉するステップ（Ｓ７）とを備えたので、データ通信が終了すると一定時間毎にＡＤＳＬ回線の開放および再捕捉を自動的に繰り返し、データ通信を再開する時には、常に回線を再捕捉して回線速度をＡＤＳＬ回線の状態に適合させて設定することができ、最適な回線速度でデータ通信を行うことができる。
【０１０１】
また、この発明に係るＡＤＳＬモデムの回線再捕捉方法は、音声とデータを同時に伝送可能なＡＤＳＬ回線を介して交換局に収容されたＡＤＳＬ加入者端局装置との間で、データ通信を行う加入者宅のパーソナルコンピュータに接続し、パーソナルコンピュータからのデータをＡＤＳＬ信号に変調するとともに、ＡＤＳＬ回線からのＡＤＳＬ信号をデータに復調するＡＤＳＬモデムの回線再捕捉方法であって、ＴＣＰコネクション確立要求をするステップ（Ｐ１）と、ＩＰパケットのＴＣＰポート番号を抽出するステップ（Ｐ２）と、抽出したＴＣＰポート番号と記憶した「Ｗｅｌｌ−Ｋｎｏｗｎ」ポート番号を照合するステップ（Ｐ３）と、ＴＣＰポート番号と「Ｗｅｌｌ−Ｋｎｏｗｎ」ポート番号が一致するか否かを判定するステップ（Ｐ４）と、アプリケーション・プロトコルを特定するステップ（Ｐ５）と、アプリケーション・プロトコルが再捕捉設定されているか否かを判定するステップ（Ｐ６）と、ＡＤＳＬ回線Ｌを再捕捉するステップ（Ｐ７）とを備えたので、データ通信を再開する際のＴＣＰコネクション確立要求がある時には、常に回線を再捕捉して回線速度をＡＤＳＬ回線の状態に適合させて設定することができ、最適な回線速度でデータ通信を行うことができる。
【図面の簡単な説明】
【図１】この発明に係るＡＤＳＬモデムが適用されるＡＤＳＬ回線サービスの実施の形態基本システム構成図である。
【図２】この発明に係るＡＤＳＬモデムの一実施の形態要部ブロック構成図である。
【図３】ＩＰパケットの一構成図である。
【図４】アプリケーション・プロトコルとＷｅｌｌ−Ｋｎｏｗｎポート番号の関係図である。
【図５】この発明に係るＡＤＳＬモデムの回線再捕捉方法の一実施の形態要部動作フロー図である。
【図６】この発明に係るＡＤＳＬモデムの回線再捕捉方法の別実施の形態要部動作フロー図である。
【符号の説明】
１　ＡＤＳＬ回線サービス基本システム
２　ＡＤＳＬ加入者端局装置
３　交換機
４，５　スプリッタ
６　アナログ電話機
７　ＡＤＳＬモデム
８，９　回線開放／捕捉手段
１０　回線インタフェース手段
１１　回線制御手段
１２　タイマ手段
１３　データバッファ手段
１４　制御手段
１５　記憶手段
１６　捕捉スイッチ
１７　端末インタフェース手段
ＢＵＳ　制御バス
Ｌ　ＡＤＳＬ回線
ＮＢ　　バックボーンネットワーク
ＮＴ　　電話網
ＰＣ　パーソナルコンピュータ
【図１】
2004080551.tif 000003
【図２】
2004080551.tif 000004
【図３】
2004080551.tif 000005
【図４】
2004080551.tif 000006
【図５】
2004080551.tif 000007
【図６】
2004080551.tif 000008